(57)【要約】【課題】車両運転者による安全運転と動画コンテンツを楽しむこととを適切に両立させた車両用コンテンツ再生装置を提供すること。【解決手段】車両に搭載され、動画コンテンツを再生する車両用コンテンツ再生装置であって、自車両走行中の動画コンテンツ再生において、映像出力がなくてもユーザが当該動画コンテンツの内容を楽しむことができるような所定種類の動画コンテンツ（例えば音楽楽曲のプロモーションビデオなど）については映像を表示出力せず、音声のみを出力する形で再生を継続する。【選択図】図２
2007335006.tif 000002
【特許請求の範囲】
【請求項１】
車両に搭載され、動画コンテンツを再生する車両用コンテンツ再生装置であって、
自車両走行中の動画コンテンツ再生において、所定種類の動画コンテンツについては映像を表示出力しない、ことを特徴とする車両用コンテンツ再生装置。
【請求項２】
請求項１記載の車両用コンテンツ再生装置であって、
前記所定種類の動画コンテンツは、所定種類の音声情報を含む動画コンテンツである、ことを特徴とする車両用コンテンツ再生装置。
【請求項３】
請求項２記載の車両用コンテンツ再生装置であって、
前記所定種類の音声情報は、ユーザが当該動画コンテンツの再生時にその映像出力よりも重視すると判断される音声情報である、ことを特徴とする車両用コンテンツ再生装置。
【請求項４】
請求項２記載の車両用コンテンツ再生装置であって、
前記所定種類の音声情報は、当該動画コンテンツに含まれる映像情報の内容の説明を含む音声情報である、ことを特徴とする。
【請求項５】
請求項１乃至４のいずれか一項記載の車両用コンテンツ再生装置であって、
動画コンテンツのヘッダ情報から当該動画コンテンツが前記所定種類の動画コンテンツであるか否かが判定される、ことを特徴とする車両用コンテンツ再生装置。
【請求項６】
請求項１乃至４のいずれか一項記載の車両用コンテンツ再生装置であって、
動画コンテンツの内容を分析することによって当該動画コンテンツが前記所定種類の動画コンテンツであるか否かが判定される、ことを特徴とする車両用コンテンツ再生装置。
【発明の詳細な説明】
【技術分野】
【０００１】
本発明は、概して、車両に搭載され、動画コンテンツを再生する車両用コンテンツ再生装置に係り、特に、車両運転者による安全運転と動画コンテンツを楽しむこととを適切に両立させた車両用コンテンツ再生装置に関する。
【背景技術】
【０００２】
従来、車両に搭載され、動画コンテンツを再生する車両用コンテンツ再生装置が知られている（例えば、特許文献１〜３参照）。
【０００３】
特許文献１には、動画コンテンツ再生中に車両が走行を開始すると、画像表示は静止画に切り替えて音声出力のみで再生する装置が開示されている。
【０００４】
特許文献２には、車両停車中には映像及び音声を再生し、走行中には映像データ中のテキストデータ（字幕データ）を音声出力する車載映像再生装置が開示されている。
【０００５】
特許文献３には、ディスク種類判定部において動画映像を含むデータか否かを判定し、動画映像を含むデータの場合には車両停止中のみ再生して車両走行中は再生を禁止し、動画映像を含まないデータの場合には車両停止中／走行中を問わず再生する装置が開示されている。
【０００６】
特許文献４には、車両停止中はＤＶＤ映画を再生し、車両走行中はＤＶＤ映画を再生禁止とし、ＤＶＤ再生禁止時間が所定時間を超えると自動的に音楽メディアに切り替える装置が開示されている。
【特許文献１】特開平１１−２５７９７３号公報
【特許文献２】特開２００１−２２５７０２号公報
【特許文献３】特開２００２−４２４０６号公報
【特許文献４】特開２００５−１６７８８０号公報
【発明の開示】
【発明が解決しようとする課題】
【０００７】
上記特許文献１〜４記載の従来装置はいずれも、車両走行中に動画映像が再生されると、運転者の注意が当該動画映像の画面表示に引かれ、運転操作に対する注意力が低下するおそれがあるとの観点から、安全な運転操作が行われるように、車両走行中には動画映像が画面表示されないようにするものである。
【０００８】
確かに、例えば映画やドラマなどのように映像を見なければそのコンテンツの内容を十分に楽しむことができない種類の動画コンテンツについては、車両が走行している間は再生を一時停止させておくことが好ましいと言える。
【０００９】
しかしながら、例えば音楽楽曲のいわゆるプロモーションビデオなどのように、映像データと音声データとを含む動画コンテンツではあるが、ユーザによっては音声データ（音楽楽曲）の再生の方が主たる目的であって、映像が画面表示されなくても音声（音楽）が出力されれば十分にそのコンテンツを楽しむことができると考えられる種類の動画コンテンツも存在する。
【００１０】
換言すれば、動画コンテンツの種類やその内容を考慮せずに車両走行中は一律に動画コンテンツ再生禁止とすると、ユーザの動画コンテンツ再生に対する楽しみを必要以上に奪ってしまう場合も生じ得る。
【００１１】
逆に、上記特許文献１に開示された装置のように、動画コンテンツの種類やその内容を考慮せずに車両走行中は一律に音声出力のみで動画コンテンツの再生を継続するものとすると、例えば映画・ドラマやドキュメンタリ番組やスポーツの試合など映像を見なければ内容を把握できない又はユーザは音声を聴くことよりもむしろ映像を見ることを楽しみにしていると考えられる動画コンテンツについて、音声のみの再生という不十分な状態でコンテンツの再生が進められてしまうため、ユーザは車両が停車したときに音声のみによる再生だった部分を巻き戻して映像を見るなどの二度手間が必要となってしまうおそれがある。
【００１２】
本発明はこのような課題を解決するためのものであり、車両運転者による安全運転と動画コンテンツを楽しむこととを適切に両立させた車両用コンテンツ再生装置を提供することを主たる目的とする。
【課題を解決するための手段】
【００１３】
上記目的を達成するための本発明の一態様は、車両に搭載され、動画コンテンツを再生する車両用コンテンツ再生装置であって、自車両走行中の動画コンテンツ再生において、所定種類の動画コンテンツについては映像を表示出力しない車両用コンテンツ再生装置である。
【００１４】
上記一態様において、換言すれば、自車両走行中に上記所定種類の動画コンテンツの再生操作が行われた場合には、映像出力なしで音声のみが出力される形で当該動画コンテンツの再生が開始され、上記所定種類の動画コンテンツの通常再生中に自車両が走行を開始すると、映像出力が停止され、音声出力のみとなる。
【００１５】
また、上記一態様において、上記所定種類の動画コンテンツは、典型的には、映像出力がなくてもユーザが当該動画コンテンツの内容を楽しむことができるような所定種類の音声情報を含む動画コンテンツである。
【００１６】
ユーザが音声出力だけで当該動画コンテンツの内容を楽しむことができるような所定種類の音声情報とは、例えば、１）ユーザが当該動画コンテンツの再生時にその映像出力よりも重視すると判断される音声情報、或いは、２）当該動画コンテンツに含まれる映像情報の内容の説明を含む音声情報である。
【００１７】
上記１）のような音声情報を含む動画コンテンツの典型例は、例えば、いわゆる音楽楽曲のプロモーションビデオ及びコンサート／ライブの模様を収録したビデオ（楽曲を聴くという目的の範囲内での利用であれば必ずしも映像を見る必要はないと考えられる）や、語学学習用のビデオ（ネイティブの発音を聴き取るリスニングの訓練という目的の範囲内での利用であれば必ずしも映像を見る必要はないと考えられる）、などである。
【００１８】
上記２）のような音声情報の典型例は、映画やドラマなどに例えば副音声のような形で挿入されている特に視覚障害者の方々を対象とした映像の解説音声（例えば、登場人物の話すセリフやナレーションに加えて、「○○のいる部屋に××が入ってくる。時計が何時を指している。」といった映像により描写されている内容を解説した音声）が含まれた音声情報である。
【００１９】
上記一態様によれば、車両走行中、映像出力がなくても運転者が音声出力だけで当該動画コンテンツの内容を楽しむことができるような所定種類の動画コンテンツについては、運転者の運転操作への集中を妨げないように映像を表示出力しないようにしつつ、音声出力は通常の再生時と同様に出力されるため、安全運転と車両運転者が動画コンテンツを楽しむこととを適切に両立させることができる。
【００２０】
なお、上記一態様において、上記所定種類以外の動画コンテンツについては、従来通り、自車両走行中は再生禁止とすることが好ましい。すなわち、自車両走行中に上記所定種類以外の動画コンテンツの再生操作が行われた場合には、再生が許容されず、上記所定種類以外の動画コンテンツの通常再生中に自車両が走行を開始すると、その時点で再生が一時停止される。いずれの場合も、自車両が停止したときに自動的に再生が開始又は再開されるように構成することも可能である。
【００２１】
また、上記一態様において、動画コンテンツが上記所定種類の動画コンテンツであるか否かの判断は、例えば、Ａ）動画コンテンツのヘッダにそのようなコンテンツ種類に関する情報が書き込まれていればヘッダ情報から判断してもよく、或いは、Ｂ）ヘッダ情報に含まれるコンテンツ識別情報を例えば無線通信を利用して遠隔サーバ内のデータベースに照らしてその動画コンテンツの種類に関する情報を取得してもよく、或いは、Ｃ）動画コンテンツを内容を分析・解析して上記所定種類の動画コンテンツであると言えるか否かを判断してもよい。
【発明の効果】
【００２２】
本発明によれば、車両運転者による安全運転と動画コンテンツを楽しむこととを適切に両立させた車両用コンテンツ再生装置を提供することができる。
【発明を実施するための最良の形態】
【００２３】
以下、本発明を実施するための最良の形態について、添付図面を参照しながら実施例を挙げて説明する。なお、車両において動画コンテンツを再生するための車両用コンテンツ再生装置の主要なハードウェア構成や作動原理等については当業者には既知であるため、詳しい説明を省略する。
【実施例】
【００２４】
以下、図１及び２を用いて、本発明の一実施例に係る車両用コンテンツ再生装置について説明する。
【００２５】
本実施例に係る車両用コンテンツ再生装置１００は、概して、自車両走行中は、原則として、運転者が運転操作に十分な注意を払うように従来通り動画コンテンツの再生を許容しないように構成されるが、例外として、特定の種類の動画コンテンツについては、音声のみを出力させる形での再生を許可し、運転者には当該動画コンテンツの音声部分だけを楽しんでもらう構成とされるものである。
【００２６】
図１は、本実施例に係る車両用コンテンツ再生装置１００の概略構成図である。
【００２７】
車両用コンテンツ再生装置１００は、概して、動画コンテンツが記憶保持されるコンテンツ格納部１０１と、動画コンテンツを再生するコンテンツ再生部１０２と、ユーザが再生する動画コンテンツを選択したり、選択された動画コンテンツに対して再生や一時停止などの操作を行ったりするユーザ入力を受け付けるユーザ入力部１０３と、ユーザ入力部１０３に入力されたユーザ操作に応じてコンテンツ格納部１０１及びコンテンツ再生部１０２を制御する制御部１０４とを有する。ここで、制御部１０４は、例えば、ＥＣＵ（Ｅｌｅｃｔｒｏｎｉｃ  Ｃｏｎｔｒｏｌ  Ｕｎｉｔ；電子制御装置）である。
【００２８】
コンテンツ格納部１０１は、車両外の図示しない所定の通信局（センタ）との間で情報の送受信が可能となるように構成・設定された通信部１０５と、通信部１０５を介してセンタからダウンロードした動画コンテンツを記憶保持する記憶部１０６とを有する。
【００２９】
通信部１０５とセンタとの間の通信は、車車間通信、路車間通信、及び／又は、衛星通信など任意の形態でよく、有線通信部分が含まれてもよい。また、採用される通信規格・プロトコルは任意でよい。また、記憶部１０６は、任意の記憶媒体でよく、例えばハードディスクである。
【００３０】
コンテンツ格納部１０１は、更に、着脱可能な記憶媒体（リムーバブルメディア）１０７ａのドライブ装置であるリムーバブルメディアドライブ装置１０７を有する。ここで用いられるリムーバブルメディア１０７ａは、任意の規格のものでよく、例えば、ＤＶＤ、ＣＤ、ＭＯ、磁気テープ、フロッピー（登録商標）ディスク、メモリカードなどである。図１において円形ディスク状のリムーバブルメディアが図示されているのは一例に過ぎない。
【００３１】
コンテンツ再生部１０２は、動画コンテンツの映像出力を車両乗員に対して表示する表示部１０８と、動画コンテンツの音声を車両乗員に対して出力する音声出力部１０９とを有する。
【００３２】
表示部１０８は、例えば液晶ディスプレイやヘッドアップディスプレイ（ＨＵＤ）など任意の種類の車載ディスプレイ装置でよく、他の車載システム（例えばナビゲーションシステムなど）のディスプレイ装置と兼用であってもよい。
【００３３】
音声出力部１０９は、車室内に設けられた任意のスピーカでよく、他の車載システム（例えばナビゲーションシステムなど）のスピーカと兼用であってもよい。
【００３４】
ところで、ユーザ入力部１０３は、例えばキーパッドや音声認識機能などの入力手段を備えていてもよいが、ユーザ利便性の観点から、例えばタッチパネル式のディスプレイ（図示せず）上に操作メニューやリムーバブルメディアドライブ装置１０７に挿入されているリムーバブルメディア１０７ａ又は記憶部１０６に記憶されている動画コンテンツのリストを提示し、ユーザがこれら操作メニュー又は動画コンテンツをタッチすることによって所望の操作又はコンテンツ再生等が可能となる、といったユーザによる入力操作を容易とする工夫がなされた構成とすることが好ましい。当業者には明らかなように、タッチパネル式とする場合、表示部１０８と一体のものとすることも可能である。
【００３５】
また、本実施例において、制御部１０４には、車速情報が入力されるものとする。自車両の車速は、例えば図示しない車輪速センサによって検出される。あるいは、ナビゲーションシステムから車速情報を取得するように構成されてもよい。ナビゲーションシステムは、検出した自車両位置の時間変化から自車両の車速を算出し得る。
【００３６】
このような構成の車両用コンテンツ再生装置１００において、ユーザは、ユーザ入力部１０３を通じて記憶部１０６に記憶された動画コンテンツ又はリムーバブルメディアドライブ装置１０７に装着されたリムーバブルメディア１０７ａに記憶された動画コンテンツを再生し、車内において楽しむことができる。
【００３７】
但し、このような動画コンテンツの再生は、運転者の運転操作に対する注意力が低下しないように、車速及び動画コンテンツの種類に応じて制限される。
【００３８】
以下、図２のフローチャートを参照して、本実施例に係る車両用コンテンツ再生装置１００による動画コンテンツ再生処理の流れを説明する。
【００３９】
ユーザ入力部１０３を通じてユーザから動画コンテンツの再生が指示されると、制御部１０４は、まず、入力された車速情報から自車両が走行中であるか否かを判定する（Ｓ２０１）。
【００４０】
車速がゼロであって自車両が停止していると判定された場合（Ｓ２０１の「ＮＯ」）、制御部１０４は、動画コンテンツを通常通り、すなわち映像＋音声の形で、再生しても運転者の運転操作に対する注意力を低下させないとの判断に基づき、ユーザ入力部１０３を通じてユーザから指定された動画コンテンツの映像信号及び音声信号をコンテンツ格納部１０１からコンテンツ再生部１０２へ出力させ、映像信号が表示部１０８によって視覚的にユーザに提示され、音声信号が音声出力部１０９によってユーザに聴覚的に提示されるようにし、通常通りの動画コンテンツ再生を許容し、実行させる（Ｓ２０３）。
【００４１】
他方、車速がゼロより大きく、自車両が走行中であると判定された場合（Ｓ２０１の「ＹＥＳ」）、次いで、制御部１０４は、ユーザから再生するように指示された動画コンテンツが映像出力なしで音声出力だけでもユーザが十分に（若しくはある程度）楽しめると考えられる（又は音声出力だけの再生をユーザが許容すると考えられる）所定の種類の動画コンテンツであるか否かを判定する（Ｓ２０２）。
【００４２】
ここで、映像出力なしで音声出力だけでもユーザが楽しめると考えられる上記所定の種類の動画コンテンツとは、映像出力がなくてもユーザが当該動画コンテンツの内容を楽しむことができるような所定の種類の音声情報を含んだ動画コンテンツであり、例えば、１）ユーザが当該動画コンテンツの再生時にその映像出力よりも重視すると判断される音声情報、或いは、２）当該動画コンテンツに含まれる映像情報の内容の説明を含む音声情報を含んだ動画コンテンツである。
【００４３】
上記１）のような音声情報を含む動画コンテンツの典型例は、例えば、１ａ）いわゆる音楽楽曲のプロモーションビデオ（ＰＶ）やコンサート／ライブの模様を収録したビデオや、１ｂ）語学学習用のビデオなどである。
【００４４】
前者１ａ）の場合、音楽ＣＤの代わりに音楽楽曲を聴くという目的の範囲内で利用するのであれば、ユーザは必ずしも映像を見る必要はないと考えられるため、音声出力のみの再生も許容され得ると推定される。また、後者１ｂ）の場合、ネイティブの発音を聴き取るリスニングの訓練という目的の範囲内で利用するのであれば、ユーザは必ずしも映像を見る必要はないと考えられるため、音声出力のみの再生も許容され得ると推定される。
【００４５】
上記２）のような音声情報の典型例は、映画やドラマなどに例えば副音声のような形で挿入されている特に視覚障害者の方々を対象とした映像の解説音声が含まれた音声情報である。
【００４６】
ここで、解説音声とは、例えば、登場人物の話すセリフやナレーションに加えて、「○○のいる部屋に××が入ってくる。時計が何時を指している。」といった映像により描写されている内容を解説した音声のことである。
【００４７】
このような映像を解説した音声を含んだ音声情報が出力されれば、ユーザは映像出力を見なくても解説音声の助けにより映画やドラマのストーリー展開を追うことができると共に、どのような映像描写がなされているのかを認識することができるため、音声出力のみで当該動画コンテンツの内容をある程度楽しむことができると推定される。
【００４８】
ユーザから再生するように指示された動画コンテンツが、上記のような、映像出力なしで音声出力だけでもユーザが十分に若しくはある程度楽しめると考えられる、又は、音声出力だけの再生をユーザが許容すると考えられる所定の種類の動画コンテンツであると判定された場合（Ｓ２０２の「ＹＥＳ」）、制御部１０４は、当該動画コンテンツの音声信号のみを音声出力部１０９から出力させ、表示部１０８による映像信号の画面表示出力を禁止する、という形で動画コンテンツを再生する（Ｓ２０４）。
【００４９】
このように映像を出力しないことによって運転者が運転操作中に映像に注意を奪われ、運転操作に対する注意力が低下することを回避することができると共に、運転者は音声出力によって運転中であっても当該動画コンテンツの内容を楽しむことができ、安全運転と車両運転者が動画コンテンツを楽しむこととが適切に両立される。
【００５０】
他方、ユーザから再生するように指示された動画コンテンツが、上記のような、映像出力なしで音声出力だけでもユーザが十分に若しくはある程度楽しめると考えられる、又は、音声出力だけの再生をユーザが許容すると考えられる所定の種類の動画コンテンツでないと判定された場合（Ｓ２０２の「ＮＯ」）、制御部１０４は、運転中の運転者の注意力が映像出力に奪われないように映像出力を禁止すると共に、音声出力だけではユーザは当該動画コンテンツの内容を楽しむことができないとの判断から音声出力も禁止する。すなわち、当該動画コンテンツの再生そのものを禁止・停止する。
【００５１】
より具体的には、ア）車両走行中に当該動画コンテンツの再生が指示された場合には再生の開始を禁止し、イ）当該動画コンテンツの再生中に車両が走行を開始した場合であれば次回の車両停止時に続きから再生できるように当該動画コンテンツの再生を一時停止させる（Ｓ２０５）。
【００５２】
前者ア）の場合、ユーザからの当該動画コンテンツの再生指示は有効に受け付けられるものとして、次回の車両停止時に直ちに当該動画コンテンツの再生が開始されるように構成することも可能である。また、後者イ）の場合、ＡＭ／ＦＭラジオや音楽ＣＤなどの本来的に音声出力のみが予定されているメディアからの音声出力に自動的に切り替えられるように構成することも可能である。
【００５３】
このように、本実施例によれば、車両走行中は、原則として、従来通り動画コンテンツの再生を許容しないものとしつつ、音声出力のみであってもユーザが当該動画コンテンツの内容を十分に若しくはある程度楽しめると判断される種類の動画コンテンツについては、車両走行中にその音声出力のみを許容することによって、車両走行中に運転者の運転操作に対する注意力を低下させないことと、運転者が動画コンテンツを楽しむこととを適切に両立させることができる。
【００５４】
なお、上記一実施例において、ユーザから再生するように指示された動画コンテンツが、上記のような、映像出力なしで音声出力だけでもユーザが十分に若しくはある程度楽しめると考えられる、又は、音声出力だけの再生をユーザが許容すると考えられる所定の種類の動画コンテンツであるか否かの判定は、例えば、あ）動画コンテンツのヘッダにそのようなコンテンツ種類に関する情報が書き込まれていればそのヘッダ情報から判断してもよく、或いは、い）ヘッダ情報に含まれるコンテンツ識別情報を例えば通信部１０５を通じて遠隔サーバ内のデータベースに照らしてその動画コンテンツの種類に関する情報を取得してその取得した情報から判断してもよく、或いは、う）動画コンテンツを内容を分析・解析して上記所定の種類の動画コンテンツであると言えるか否かを判断してもよい。当然、ユーザ入力部１０３を通じてユーザにより車両走行中の取り扱いが指定されるものとすることも可能である。
【００５５】
また、上記一実施例においては、制御部１０４が、車速情報を取得し、車速がゼロのときに自車両が走行中でないと判定して通常の動画コンテンツ再生を許容するものとしたが、本発明はこのような実施形態に限られない。例えば、車速に代えて又は加えて、アクセルペダルストローク量／角度や、前後／横加速度や、ステアリング舵角などの様々なパラメータから推定された車両状態に基づいて、より細かく、動画コンテンツの通常再生（映像出力＋音声出力）が許容される車両状態であるか、或いは、動画コンテンツの種類に応じて再生禁止か又は音声出力のみとすべき車両状態であるか、が判断されるものとしてもよい。
【００５６】
さらに、上記一実施例においては、一例として、特に図２に示したように、ユーザによって動画コンテンツの再生が指示されたときに、自車両が走行中であるか否かをまず判断し（Ｓ２０１）、車両が走行中であった場合に上記所定の種類の動画コンテンツであるか否かを判断する（Ｓ２０２）ものとしたが、本発明はこのような実施形態に限定されるものではなく、これらの判断順序は逆でもよい。すなわち、車両の走行中／停車中を問わず、ユーザから動画コンテンツの再生が指示されたときに最初に当該動画コンテンツが上記所定種類の動画コンテンツであるか否かの判定が行われるようにしてもよい。
【産業上の利用可能性】
【００５７】
本発明は、車両に搭載され、動画コンテンツを再生する車両用コンテンツ再生装置に利用できる。制御対象となる車両の動力源種類、燃料種類、外観デザイン、重量、サイズ、走行性能等はいずれも不問である。
【図面の簡単な説明】
【００５８】
【図１】本発明の一実施例に係る車両用コンテンツ再生装置の概略構成図である。
【図２】本発明の一実施例に係る車両用コンテンツ再生装置による処理の流れを示すフローチャートである。
【符号の説明】
【００５９】
１００  車両用コンテンツ再生装置
１０１  コンテンツ格納部
１０２  コンテンツ再生部
１０３  ユーザ入力部
１０４  制御部
１０５  通信部
１０６  記憶部
１０７  リムーバブルメディアドライブ装置
１０７ａ  リムーバブルメディア
１０８  表示部
１０９  音声出力部
【図１】
2007335006.tif 000003
【図２】
2007335006.tif 000004